(57)【要約】【課題】  指袋部を有する編成くつ下において、人体の足の各指をくつ下の指袋部に挿入し易くして、はき心地性を高めることである。【解決手段】  横編機によって編成された指袋部１〜５を有する編成くつ下Ｓ1 であって、編成開始端部である前記指袋部１〜５の先端閉塞部の折癖Ｋが、該指袋部１〜５の幅方向の中央部に配置されて起立姿勢となっている構成とする。【選択図】      図７
2006214010.tif 000002
【特許請求の範囲】
【請求項１】
横編機によって編成された指袋部を有する編成くつ下であって、
編成開始端部である前記指袋部の先端閉塞部の折癖が、非使用状態において前記指袋部とこれに接続する胴部との間に開口が形成される程度に、指袋部の両端部を除く位置に配置されていることを特徴とする編成くつ下。
【請求項２】
前記折癖は、指袋部の幅方向のほぼ中央部に配置されていることを特徴とする請求項１に記載の編成くつ下。
【請求項３】
５本の指袋部を有することを特徴とする請求項１又は２に記載の編成くつ下。
【請求項４】
指袋部の編成後に胴部を編成して請求項１ないし３のいずれかに記載の編成くつ下を横編機で編成する方法であって、
前記指袋部の編成を終えた後に、多数本の編針が設けられた前後の各ニードルベッドを左右に移動させると共に、ループ状となった指袋部の編成終了端部の編糸を順次他方のニードルベッドの編針に移し替えて、前記指袋部を所定角度だけ回すことにより、前記折癖を前記指袋部の両端部を除く位置にずらして配置させた後に、前記胴部を編成することを特徴とする編成くつ下の編成方法。
【発明の詳細な説明】
【技術分野】
【０００１】
本発明は、横編機により編成される指袋部を有する編成くつ下、及びその編成方法に関するものである。
【背景技術】
【０００２】
指袋部を有するくつ下を横編機で編成すると、横編機の前後の各ニードルベッドの間に跨がる編糸で編成された部分であるくつ下の左右の各端部には、それぞれ「折癖」が付いて、この「折癖」の部分において編成されたくつ下は、自然に表裏が２枚重ね状態となる特質がある。これは、前後の各ニードルベッドの間に跨がる編糸で編成された部分は、他の部分（各ニードルベッドの編針群によりそれぞれ編成された部分）よりも大きな張力で編成されるため、各ニードルベッドに張り渡された編糸が引っ張られた状態で編成されるためであって、「折癖」の存在により表裏が識別可能な編成品が編成される（この点が、表裏の識別が不能な丸編機による編成品と大きく異なる）。
【０００３】
このため、例えば特許文献１に示されるような５本指のくつ下においては、５本の各指袋部には、いずれも幅方向の両端部に「折癖」が形成されて、非使用状態において表裏が２枚重ねとなってしまう。くつ下の編成は、後述のように５本の各指袋部を順次編成した後に、残りの胴部（本体部）を編成している。また、各指袋部の編成は、人の足の指先の形状に対応させて丸みを有するように、編成開始から１周の「編目」の数を順次増し、その後は１周の「編目」の数を一定にして編成している。このため、各指袋部の編成開始端部となる先端両側部には、上記した網目の増加（増目）によって、網目が凝縮した部分が前記「折癖」とほぼ同一部分に形成され、この網目の凝縮部によって、前記「折癖」が一層に強固なものとなってしまう。
【０００４】
このため、図１１（ロ）に示されるように、横編機で編成された指袋部を有する従来のくつ下Ｓ’は、その各指袋部２１の部分の「折癖」によって表裏部が互いに重なっているため、くつ下をはく場合に、人体の足Ｌの各指Ｆの先端が隣接する指袋部２１の間に引っ掛かる等してはきづらいという問題があった。なお、図１１（ロ）において、２２は、くつ下Ｓ’の胴部を示す。
【特許文献１】特開平１１−２８６８０２号公報
【発明の開示】
【発明が解決しようとする課題】
【０００５】
本発明は、指袋部を有する編成くつ下において、人体の足の各指をくつ下の指袋部に挿入し易くして、はき心地性を高めることを課題としている。
【課題を解決するための手段】
【０００６】
上記課題を解決するための請求項１の発明は、横編機によって編成された指袋部を有する編成くつ下であって、編成開始端部である前記指袋部の先端閉塞部の折癖が、くつ下の非使用状態において前記指袋部とこれに接続する胴部との間に開口が形成される程度に、幅方向の両端を除く部分に配置されていることを特徴としている。請求項１の発明によれば、くつ下の非使用状態において前記指袋部とこれに接続する胴部との間に開口が形成される程度に、前記折癖が幅方向の両端を除く部分に配置されているために、前記折癖が指袋部の幅方向の両端部に配置されて表裏が重なっている状態に比較して、前記開口から足の指をスムーズに挿入できて、くつ下のはき心地性が高められる。
【０００７】
請求項２の発明は、請求項１の発明において、前記折癖は、指袋部の幅方向のほぼ中央部に配置されていることを特徴としている。請求項２の発明によれば、折癖が指袋部の幅方向の中央部に配置されているために、くつ下の非使用状態において指袋部が最も立体的な形状を保持する。このため、指袋部と胴部との接続部に形成される開口が最も大きくなって、くつ下のはき心地性が一層に高められる。
【０００８】
また、請求項３の発明は、請求項１又は２の発明において、くつ下は５本の指袋部を有していることを特徴としている。５本の指袋部を有するくつ下は、最もはきづらいために、本発明を５本の指袋部を有するくつ下に実施すると、くつ下のはき心地性が急激に高まる。
【０００９】
また、請求項４の発明は、指袋部の編成後に胴部を編成して請求項１ないし３のいずれかに記載の編成くつ下を横編機で編成する方法であって、前記指袋部の編成を終えた後に、多数本の編針が設けられた前後の各ニードルベッドを左右に移動させると共に、ループ状となった指袋部の編成終了端部の編糸を順次他方のニードルベッドの編針に移し替えて、前記指袋部を所定角度だけ回すことにより、前記折癖を前記指袋部の両端部を除く位置にずらして配置させた後に、前記胴部を編成することを特徴としている。
【００１０】
請求項４の発明によれば、例えば、５本の指袋部を有するくつ下の編成において、指袋部を親指から小指に向けて編成する場合には、上記のようにして折癖を親指の指袋部の幅方向の所定角度だけ回してずらした後に、親指の指袋部の開口を上にして、横編機の各ニードルベッドに設けられた編針群に垂れ下げておく。次に、親指の隣の指袋部を編成した後に、同様にして折癖を親指の指袋部の幅方向にずらした後に、隣接する二つの指袋部の接続部を編成して（この編成を「指又重ね」という）接続させて、接続された状態の親指とその隣の指の各指袋部を開口を上方にして前記編針群に垂れ下げておく。以後、残りの３つの各指袋部を同様にして編成した後に、胴部を編成すると、各指袋部の編成開始端部である先端閉塞部の折癖が、それぞれ各指袋部の幅方向にずれて配置されて起立姿勢となったくつ下が編成される。このため、本発明に係るくつ下は、既存の横編機を使用して編成可能となる。
【００１１】
ここで、指袋部の編成後において、該指袋部を回す角度をほぼ９０°にすると、指袋部の幅方向に中央部に折癖が配置されて、指袋部と胴部との接続部の開口が大きくなって、くつ下のはき心地性が高まる。
【発明の効果】
【００１２】
本発明に係る編成くつ下は、各指袋部の先端閉塞部の折癖が、該指袋部の幅方向にずれて配置されているため、くつ下の非使用状態において各指袋部と胴部との接続部に、足の指をスムーズに挿入し得る開口が形成される。このため、くつ下をはく場合に人体の足の指を前記開口から指袋部に挿入し易くなって、くつ下のはき心地性が高められる。
【００１３】
また、本発明に係る編成くつ下の編成方法は、前後に対向配置された一対のニードルベッドを有する既存の横編機を使用して、くつ下の指袋部の編成終了後に、各ニードルベッドの編針に対する編糸の位置を変更して指袋部を所定角度だけ回して、指袋部の先端閉塞部の折癖をその幅方向にずらして配置して編成することにより、前記折癖が該指袋部の幅方向にずれて配置されて、指袋部が起立姿勢になっている編成くつ下の編成が可能となる。
【発明を実施するための最良の形態】
【００１４】
以下、複数の最良の実施例を挙げて本発明を更に詳細に説明する。
【実施例１】
【００１５】
最初に、本発明の第１実施例のくつ下Ｓ1 をその編成方法と共に説明する。図１に示されるように、横編機には、一組のフロントニードルベッドＦＮとバックニードルベッドＢＮとが相前後して対向し、しかも前後方向の中央部が高くなるように山形（逆Ｖ字形）に配置されて、前後の各ニードルベッドＦＮ，ＢＮには、それぞれ数十本づつの編針群が挿入され、各編針は、ベッドの傾斜方向に沿って高サイクルで上下動する。この横編機の各ニードルベッドＦＮ，ＢＮには、選針ドラム装置がそれぞれ備え付けられていて、各ニードルベッドＦＮ，ＢＮに設けられた多数本の編針群のうち、作用させる編針を選択する装置である。例えば、５本の指袋部を備えたくつ下において各指袋部の編成には、図２に示されるように、それぞれ各ニードルベッドＦＮ，ＢＮの右側から左側に向かって、それぞれＡ，Ｂ，Ｃ，Ｄ，Ｅで示される各部位の連続した所定本数の編針が選択されて、５本の指袋部は、例えば親指から小指の側に向けてその特定の所定本数の編針のみが選択されて順次編成される。なお、図２においては、各ニードルベッドＦＮ，ＢＮのＡ〜Ｅで示される各部位は、図示の関係で連続表示されているが、相隣接する各指袋部を編成するために選択された複数の編針（選択編針群）は、後述の「指又重ね」を行うために各選択編針群の隣接する部分において数本ずつ共有し合っている。
【００１６】
そして、図４に示されるように、各ニードルベッドＦＮ，ＢＮの「１」から「７」の各番号の複数の編針Ｎを使用して、くつ下の親指の指袋部１を編成する場合について説明する。なお、図４において円及び四角で囲まれた各数字は、それぞれ指袋部１の編成端部におけるフロント及びバックの各ニードルベッドＦＮ，ＢＮの各編針Ｎによって編成された部分を示す（併せて、編針自体の位置を図示している場合もある）。図４（イ）は、各ニードルベッドＦＮ，ＢＮから選択された編針群Ｎによって親指の指袋部１の編成を終えた状態であって、図３に示されるように、指袋部１の開口を上方に向けて各ニードルベッドＦＮ，ＢＮの対向する複数の編針群Ｎにより開口端部（編成終了端部）が支持されて垂れ下がっている。
【００１７】
図４（イ）の指袋部１の編成終了後においては、各ニードルベッドＦＮ，ＢＮの対向する各編針Ｎで編成された部分は互いに対向していて（丸内と四角内の各数字が一致している）、各ニードルベッドＦＮ，ＢＮの間に跨がる編糸で編成された「Ｋ」で示される部分に「折癖」が付けられている。この状態において、バックニードルベッドＢＮを左方向（矢印Ｑ方向）に編針Ｎの１ピッチＰ分だけ移動させた〔図４（ロ）〕後に、フロントニードルベッドＦＮの作用編針群のうち右端の編針で編成された「１」の部分を、バックニードルベッドＢＮの対向する編針に移すと共に、バックニードルベッドＢＮの作用編針群のうち左端の編針で編成された「７」で示される部分を、フロントニードルベッドＦＮの対向する編針に移し替え〔図４（ハ）〕、その後にバックニードルベッドＢＮを編針Ｎの１ピッチＰ分だけ左方向（矢印Ｑ方向）に移動させると、図４（ニ）で示されるように、編成を終えた指袋部１が上方から見て反時計方向に編針Ｎの１ピッチＰだけ回された状態となる。なお、図４及び図６において、Ｙは、各指袋部１〜５の編成終了端部の編糸を示す。
【００１８】
次に、図４（ホ）に示されるように、バックニードルベッドＢＮの各編針Ｎで支持されている指袋部１の編成端部の全てをフロントニードルベッドＦＮの各編針Ｎに移し替えて仮支持させておいて、バックニードルベッドＢＮを右方向（矢印Ｒ方向）に編針ＮのピッチＰの２倍（２Ｐ）分だけ移動させた後〔図４（ヘ）〕に、フロントニードルベッドＦＮに移し替えられて仮支持されている指袋部１の編成終了端部を再度バックニードルベッドＢＮの各編針Ｎに戻して支持させる〔図４（ト）〕。これにより、指袋部１の編成端部は、編針Ｎの１ピッチＰ分だけ反時計方向に回された状態で、その全体が編針Ｎの１ピッチＰ分だけ左方向（矢印Ｑ方向）に移動されて、指袋部１の編成終了端部を支持している編針群は一つだけ左方向（矢印Ｑ方向）にずれる。以後、上記した指袋部１の編成端部は、編針Ｎの１ピッチＰ分だけ反時計方向に回す操作を「回し操作」という。
【００１９】
以後、全く同様の「回し操作」を２回行うと、指袋部１の編成終了時には、図４（チ）及び図５に示されるように、その幅方向の中央部に配置されていた「折癖」の全くない部分（「４」の数字で示される各部分）は、指袋部１が反時計方向にほぼ９０°回されることにより、幅方向の両端部に配置される。その結果、指袋部１の「折癖Ｋ」は、その幅方向の中央部に配置される。なお、図５は、各ニードルベッドＦＮ，ＢＮの編針群の位置と、前記「回し操作」の回数だけ指袋部１が左方向（矢印Ｑ方向）にずれることを説明する模式図であり、図５から明らかなように、指袋部１が反時計方向にほぼ９０°回されることにより、指袋部１は、上記「回し操作」の回数だけ、左方向（Ｑ方向）に移動されるが、各ニードルベッドＦＮ，ＢＮの編針群の対向関係は維持している（対向する一対の編針の配置は変更されない）。
【００２０】
図６は、本発明に係るくつ下の編成工程図であって、同（イ），（ロ）は、上記した親指の指袋部１の編成の各工程である。親指の指袋部１の編成後において、この指袋部１を各ニードルベッドＦＮ，ＢＮの不作用編針群に支持させて垂れ下げておいて、隣の別の指袋部２の編成を上記と同様にして行う。この場合において、「折癖」を指袋部２の幅方向の中央部に配置すると、上記した「回し操作」の回数分だけ、指袋部２が左方向（Ｑ方向）にずれるので、指袋部２の編成に必要な作用編針群の選定は、この「ずれ」を見込んで行う必要がある（具体的には、編成開始の編針群は、前記「ずれ」に対応する分だけ右側の編針群を選定する必要がある）。図６（ハ），（ニ）は、それぞれ指袋部２の「回し操作」の前及び後における模式図である。
【００２１】
また、指袋部２は、その編成終了時において指袋部１と分離しているため、各指袋部１，２を編成した編針群のうち共有する複数本の編針Ｎを使用して、各指袋部１，２の開口端のうち互いに接続する部分を編成して接続させる「指又重ね」を行う〔図６（ホ）〕。なお、図６（ホ）においてＪは、親指とその隣の各指袋部の「指又重ね部」を示す。
【００２２】
以後、全く同様にして、図６（ヘ）に示されるように、上記「回し操作」を行って特定の編針群により残りの３つの各指袋部３，４，５の編成と「指又重ね」を行った後に、５本の指袋部１〜５に接続する筒状の胴部６の編成を行うと、図７〜図１１（イ）に示される本発明に係るくつ下Ｓ1 が編成される。
【００２３】
図７は、本発明に係るくつ下Ｓ1 の斜視図であり、図８は、同じく正面図、図９及び図１０は、それぞれ図８のＸ1 矢視図、及びＸ2 矢視図であり、図１１（イ），（ロ）は、本発明に係るくつ下Ｓ1 及び従来のくつ下Ｓ’における図８のＺーＺ線拡大断面図であり、図１２は、くつ下Ｓ1 をはいた状態の断面図である。図７〜図１１（イ）において、くつ下Ｓ1 は、５本の各指袋部１〜５を備えていて、編成時において各指袋部１〜５の先端閉塞部、及び各ニードルベッドＦＮ，ＢＮの間に張り渡される編糸の部分で形成される「折癖Ｋ」は、各指袋部１〜５の幅方向の中央部に配置されて起立姿勢となっていて、各指袋部１〜５は立体形状を維持している。このため、各指袋部１〜５と胴部６との接続部分には、くつ下Ｓ1 の非使用状態においても指Ｆの先をスムーズに挿入し得る開口７が形成されて、前記「折癖Ｋ」によって開口状態が維持される。なお、図１０において、８は、くつ下Ｓ1 を折り畳んだ状態において形成される踵部を示す。
【００２４】
このため、本発明に係るくつ下Ｓ1 によれば、５本の各指袋部１〜５と胴部６との接続部に、非使用状態において開口７が形成されているため、くつ下Ｓ1 をはく際に、人の足の各指Ｆは、立体形状を維持している各指袋部１〜４と胴部６の接続部である開口７の部分から容易に各指袋部１〜５に挿入できるため、くつ下Ｓ1 のはき心地性が高められて、足の指先が隣接する指袋部の間に引っ掛かることなくスムーズにくつ下Ｓ1 をはくことができる。
【実施例２】
【００２５】
図１３は、本発明を実施した、親指と残りの４本の指の２つの指袋部１１，１２を有するくつ下Ｓ2 の斜視図である。このくつ下Ｓ2 の指袋部１２には、親指を除く４本の指を容易に挿入できるが、親指を挿入する指袋部１１には、親指を挿入しづらいので、この指袋部１１に関してのみ、編成時においてその折癖Ｋを幅方向の中央部に配置して起立姿勢としたものである。なお、図１３において１３は、くつ下Ｓ2 の胴部を示す。
【００２６】
また、上記各実施例のくつ下Ｓ1 ，Ｓ2 は、いずれも各指袋部１〜５，１１の幅方向の中央部に折癖Ｋが配置されているため、各指袋部１〜５，１１と胴部６，１３との接続部に形成される開口７が最も大きくなると共に、折癖Ｋが指袋部の幅方向の中央部に配置されているために、見栄えが良好となる。しかし、本発明においては、折癖Ｋの位置は、指袋部の幅方向の両端を除く部分に配置されておればどの位置でもよく、折癖を指袋部の幅方向の中央部からずれた位置に配置してもよい。この構造によっても、くつ下の非使用状態において指袋部が立体形状を保持して、指袋部と胴部との接続部に、足の指を挿入できる開口が形成できて、くつ下のはき心地性が高められると共に、足の指の真下に折癖が存在しないので、くつ下をはいた場合に折癖を足の指により踏み付けることがなくなり、この点においてくつ下のはき心地性が高まる。
【図面の簡単な説明】
【００２７】
【図１】横編機のニードルベッドの模式的斜視図である。
【図２】ニードルベッドにおいて親指から小指の５本の各指袋部１〜５が編成される部位を示す模式的平面図である。
【図３】各ニードルベッドの編針群に編成された指袋部１が開口を上にして垂れ下がっている状態を示す図である。
【図４】（イ）〜（チ）は、折癖Ｋを指袋部１の幅方向の中央部に配置させるための各工程を示す図である。
【図５】折癖Ｋを指袋部１の幅方向の中央部に配置させることにより、編成された指袋部１がニードルベッドの編針群の方向に沿ってずれることを示す図である。
【図６】折癖Ｋが各指袋部１〜５の幅方向の中央部に配置されたくつ下Ｓ1 の編成工程図である。
【図７】本発明に係るくつ下Ｓ1 の斜視図である。
【図８】同じく正面図である。
【図９】図８のＸ1 矢視図である。
【図１０】図８のＸ2 矢視図である。
【図１１】（イ），（ロ）は、それぞれ本発明に係るくつ下Ｓ1 及び従来のくつ下Ｓ’における図８のＺーＺ線拡大断面図である。
【図１２】くつ下Ｓ1 をはいた状態の断面図である。
【図１３】本発明に係る別のくつ下Ｓ2 の斜視図である。
【符号の説明】
【００２８】
Ｋ：折癖
ＦＮ：フロントニードルベッド
ＢＮ：バックニードルベッド
Ｎ：編針
Ｐ：編針群のピッチ
Ｓ1 ，Ｓ2 ：くつ下
１〜５，１１，１２：指袋部
６：胴部
７：開口
【図１】
2006214010.tif 000003
【図２】
2006214010.tif 000004
【図３】
2006214010.tif 000005
【図４】
2006214010.tif 000006
【図５】
2006214010.tif 000007
【図６】
2006214010.tif 000008
【図７】
2006214010.tif 000009
【図８】
2006214010.tif 000010
【図９】
2006214010.tif 000011
【図１０】
2006214010.tif 000012
【図１１】
2006214010.tif 000013
【図１２】
2006214010.tif 000014
【図１３】
2006214010.tif 000015